(57)【要約】【課題】Ｎ式の紙製容器において、組立て状態から容易に折り畳むことができるとともに、折り畳んだ状態を容易に固定することができ、廃棄が容易な紙製容器を提供する。【解決手段】紙製容器５において、正面部４０の外側部４２の両側には折れ線４２ａ１、４２ａ２が形成され、内側部４６の両側には折れ線４６ａ１、４６ａ２が形成され、被挟設部２４、３４には、折れ線２４ａ、３４ａが形成され、また、背面板部５４、５６には、折れ線５４ｂ、５６ｂが形成されているので、組立て状態の紙製容器の側面部２０、３０を内側に倒すことにより、底面部１０の正面側に立設した部材の両側が折り返され、また、背面板部５４、５６により形成される内側背面部の両側が折り返された状態となる。また、蓋部６０を外側背面板部５８に対して折り返して差込み片６２ａを水平板部４８と底面部１０間に差し込むことにより、折り畳んだ状態を容易に固定することができる。【選択図】図４
0003164779.tif 000002
【実用新案登録請求の範囲】
【請求項１】
１枚のシート状のブランクにより形成された紙製容器であって、
略方形状の底面部と、
底面部の右側面側の辺部から折れ線を介して連設された略方形状の右側面部と、
底面部の左側面側の辺部から折れ線を介して連設された略方形状の左側面部と、
右側面部の正面側の辺部から折れ線を介して連設され、紙製容器の組立て状態において、正面部の外側部と内側部に挟まれて設けられる右側被挟設部で、底面部の正面右側の角部から右側面部との間の折れ線に対して４５度の角度をなして形成された第１折れ線を有する右側被挟設部と、
左側面部の正面側の辺部から折れ線を介して連設され、紙製容器の組立て状態において、正面部の外側部と内側部に挟まれて設けられる左側被挟設部で、底面部の正面左側の角部から左側面部との間の折れ線に対して４５度の角度をなして形成された第２折れ線を有する左側被挟設部と、
底面部の正面側の辺部から折れ線を介して連設された正面部で、
底面部から折れ線を介して連設された外側部で、底面部の正面右側の角部から底面部との間の折れ線に対して４５度の角度をなして形成された第３折れ線と、底面部の正面左側の角部から底面部との間の折れ線に対して４５度の角度をなして形成された第４折れ線とが設けられた外側部と、
外側部の底面部とは反対側の辺部から折れ線を介して連設された帯状の上面部と、
上面部の外側部とは反対側の辺部から折れ線を介して連設され紙製容器の組立て状態において外側部の内側に外側部と略平行に設けられる内側部で、内側部の上面部側の端部位置で第３折れ線の上面部側の端部位置と左右方向に同じ位置から内側部の左右方向の外側に向けて内側部の上面部側の辺部に対して４５度の角度をなして形成された第５折れ線と、内側部の上面部側の端部位置で第４折れ線の上面部側の端部位置と左右方向に同じ位置から内側部の左右方向の外側に向けて内側部の上面部側の辺部に対して４５度の角度をなして形成された第６折れ線とを有する内側部と、
内側部の上面部とは反対側の辺部から折れ線を介して連設され、紙製容器の組立て状態において底面部の上面に設けられる帯状の水平板部と、を有する正面部と、
紙製容器の背面の内側を形成する内側背面部で、
右側面部の背面側の辺部から折れ線を介して連設され左側背面板部と係止する右側背面板部で、底面部の背面右側の角部から右側面部との間の折れ線に対して４５度の角度をなして形成された第７折れ線を有する右側背面板部と、
左側面部の背面側の辺部から折れ線を介して連設され右側背面板部と係止する左側背面板部で、底面部の背面左側の角部から左側面部との間の折れ線に対して４５度の角度をなして形成された第８折れ線を有する左側背面板部と、を有する内側背面部と、
底面部の背面側の辺部から折れ線を介して連設された外側背面部と、
外側背面部の底面部とは反対側の辺部から折れ線を介して連設された蓋部と、
蓋部の外側背面部とは反対側の辺部から折れ線を介して連設された先端板部で、紙製容器の組立て状態における蓋部を開けた状態で、右側面部と左側面部とを内側に倒して、正面部と内側背面部と右側被挟設部と左側被挟設部とを折り畳んだ状態とした後に、蓋部を外側背面部に対して折り返した際に、水平板部と底面部間に隙間に差し込むための差込み片を有する先端板部と、
を有することを特徴とする紙製容器。
【請求項２】
１枚のシート状のブランクにより形成された紙製容器であって、
略方形状の底面部と、
底面部の右側面側の辺部から折れ線を介して連設された略方形状の右側面部と、
底面部の左側面側の辺部から折れ線を介して連設された略方形状の左側面部と、
右側面部の正面側の辺部から折れ線を介して連設され、紙製容器の組立て状態において、正面部の外側部と内側部に挟まれて設けられる右側被挟設部で、底面部の正面右側の角部から右側面部との間の折れ線に対して４５度の角度をなして形成された第１折れ線を有する右側被挟設部と、
左側面部の正面側の辺部から折れ線を介して連設され、紙製容器の組立て状態において、正面部の外側部と内側部に挟まれて設けられる左側被挟設部で、底面部の正面左側の角部から左側面部との間の折れ線に対して４５度の角度をなして形成された第２折れ線を有する左側被挟設部と、
底面部の正面側の辺部から折れ線を介して連設された正面部で、
底面部から折れ線を介して連設された外側部で、底面部の正面右側の角部から底面部との間の折れ線に対して４５度の角度をなして形成された第３折れ線と、底面部の正面左側の角部から底面部との間の折れ線に対して４５度の角度をなして形成された第４折れ線とが設けられた外側部と、
外側部の底面部とは反対側の辺部から折れ線を介して連設され紙製容器の組立て状態において外側部の内側に外側部と略平行に設けられる内側部で、内側部の外側部側の端部位置で第３折れ線の外側部側の端部位置と左右方向に同じ位置から内側部の左右方向の外側に向けて内側部の外側部側の辺部に対して４５度の角度をなして形成された第５折れ線と、内側部の外側部側の端部位置で第４折れ線の外側部側の端部位置と左右方向に同じ位置から内側部の左右方向の外側に向けて内側部の外側部側の辺部に対して４５度の角度をなして形成された第６折れ線とを有する内側部と、
内側部の外側部とは反対側の辺部から折れ線を介して連設され、紙製容器の組立て状態において底面部の上面に設けられる帯状の水平板部と、を有する正面部と、
紙製容器の背面の内側を形成する内側背面部で、
右側面部の背面側の辺部から折れ線を介して連設され左側背面板部と係止する右側背面板部で、底面部の背面右側の角部から右側面部との間の折れ線に対して４５度の角度をなして形成された第７折れ線を有する右側背面板部と、
左側面部の背面側の辺部から折れ線を介して連設され右側背面板部と係止する左側背面板部で、底面部の背面左側の角部から左側面部との間の折れ線に対して４５度の角度をなして形成された第８折れ線を有する左側背面板部と、を有する内側背面部と、
底面部の背面側の辺部から折れ線を介して連設された外側背面部と、
外側背面部の底面部とは反対側の辺部から折れ線を介して連設された蓋部と、
蓋部の外側背面部とは反対側の辺部から折れ線を介して連設された先端板部で、紙製容器の組立て状態における蓋部を開けた状態で、右側面部と左側面部とを内側に倒して、正面部と内側背面部と右側被挟設部と左側被挟設部とを折り畳んだ状態とした後に、蓋部を外側背面部に対して折り返した際に、水平板部と底面部間に隙間に差し込むための差込み片を有する先端板部と、
を有することを特徴とする紙製容器。
【請求項３】
水平板部の左右方向の略中央には、先端板部の差込み片を差し込むための切欠部が形成されていることを特徴とする請求項１又は２に記載の紙製容器。
【請求項４】
内側部における紙製容器の組立て状態における左右両側の下方側で第５折れ線と第６折れ線の延長線上には切欠部が形成されていることを特徴とする請求項１又は２又は３に記載の紙製容器。
【請求項５】
右側被挟設部における紙製容器の組立て状態における上側で第１折れ線の延長線上には切欠部が形成され、左側被挟設部における紙製容器の組立て状態における上側で第２折れ線の延長線上には切欠部が形成されていることを特徴とする請求項１又は２又は３又は４に記載の紙製容器。
【請求項６】
右側面部の底面部とは反対側の辺部から折れ線を介してフラップ部が連設され、左側面部の底面部とは反対側の辺部から折れ線を介してフラップ部が連設されていることを特徴とする請求項１又は２又は３又は４又は５に記載の紙製容器。
【請求項７】
１枚のシート状のブランクにより形成された紙製容器であって、
略方形状の底面部と、
底面部の右側面側の辺部から折れ線を介して連設された略方形状の右側面部と、
底面部の左側面側の辺部から折れ線を介して連設された略方形状の左側面部と、
右側面部の正面側の辺部から折れ線を介して連設され、紙製容器の組立て状態において、正面部の外側部と内側部に挟まれて設けられる右側被挟設部で、底面部の正面右側の角部から右側面部との間の折れ線に対して４５度の角度をなして形成された第１折れ線を有し、紙製容器の組立て状態における上側で第１折れ線の延長線上には切欠部が形成されている右側被挟設部と、
左側面部の正面側の辺部から折れ線を介して連設され、紙製容器の組立て状態において、正面部の外側部と内側部に挟まれて設けられる左側被挟設部で、底面部の正面左側の角部から左側面部との間の折れ線に対して４５度の角度をなして形成された第２折れ線を有し、紙製容器の組立て状態における上側で第２折れ線の延長線上には切欠部が形成されている左側被挟設部と、
右側面部の底面部とは反対側の辺部から折れ線を介して第１フラップ部と、
左側面部の底面部とは反対側の辺部から折れ線を介して第２フラップ部と、
底面部の正面側の辺部から折れ線を介して連設された正面部で、
底面部から折れ線を介して連設された外側部で、底面部の正面右側の角部から底面部との間の折れ線に対して４５度の角度をなして形成された第３折れ線と、底面部の正面左側の角部から底面部との間の折れ線に対して４５度の角度をなして形成された第４折れ線とが設けられた外側部と、
外側部の底面部とは反対側の辺部から折れ線を介して連設された帯状の上面部と、
上面部の外側部とは反対側の辺部から折れ線を介して連設され紙製容器の組立て状態において外側部の内側に外側部と略平行に設けられる内側部で、内側部の上面部側の端部位置で第３折れ線の上面部側の端部位置と左右方向に同じ位置から内側部の左右方向の外側に向けて内側部の上面部側の辺部に対して４５度の角度をなして形成された第５折れ線と、内側部の上面部側の端部位置で第４折れ線の上面部側の端部位置と左右方向に同じ位置から内側部の左右方向の外側に向けて内側部の上面部側の辺部に対して４５度の角度をなして形成された第６折れ線とを有し、紙製容器の組立て状態における左右両側の下方側で第５折れ線と第６折れ線の延長線上には切欠部が形成されている内側部と、
内側部の上面部とは反対側の辺部から折れ線を介して連設され、紙製容器の組立て状態において底面部の上面に設けられる帯状の水平板部で、左右方向の略中央には、先端板部の差込み片を差し込むための切欠部が形成された水平板部と、を有する正面部と、
紙製容器の背面の内側を形成する内側背面部で、
右側面部の背面側の辺部から折れ線を介して連設され左側背面板部と係止する右側背面板部で、底面部の背面右側の角部から右側面部との間の折れ線に対して４５度の角度をなして形成された第７折れ線を有する右側背面板部と、
左側面部の背面側の辺部から折れ線を介して連設され右側背面板部と係止する左側背面板部で、底面部の背面左側の角部から左側面部との間の折れ線に対して４５度の角度をなして形成された第８折れ線を有する左側背面板部と、を有する内側背面部と、
底面部の背面側の辺部から折れ線を介して連設された外側背面部と、
外側背面部の底面部とは反対側の辺部から折れ線を介して連設された蓋部と、
蓋部の外側背面部とは反対側の辺部から折れ線を介して連設された先端板部で、紙製容器の組立て状態における蓋部を開けた状態で、右側面部と左側面部とを内側に倒して、正面部と内側背面部と右側被挟設部と左側被挟設部とを折り畳んだ状態とした後に、蓋部を外側背面部に対して折り返した際に、水平板部と底面部間に隙間に差し込むための差込み片を有する先端板部と、
を有することを特徴とする紙製容器。
【請求項８】
内側部と水平板部の境界位置に略コ字状の切込みを形成することにより、内側部の水平板部側に突状部が形成され、底面部と外側部の境界位置に略コ字状の切込みを形成することにより、外側部を底面部に対して立設させた際に、底面部の外側部側の端部に突状部が嵌合するための開口部が形成されることを特徴とする請求項１又は２又は３又は４又は５又は６又は７に記載の紙製容器。
【考案の詳細な説明】
【技術分野】
【０００１】
本考案は、紙製容器に関するものであり、特に、Ｎ式の容器に関するものである。
【背景技術】
【０００２】
従来よりＮ式の容器は、１枚のシート状のブランクにより接着剤を使用しなくても容器状に組み立てることができ、方形状の底面部の各辺から正面部と一対の側面部と背面部とが連設され、背面部から連設された蓋部が一枚の天面から形成されるものである。
【０００３】
Ｎ式の容器の中でも、図７、図８に示すように、背面部１５０が、底面部１１０から連設された外側背面板部１５８と、側面部１２０、１３０から連設された一対の背面板部１５４、１５６を連設することにより形成される内側背面部１５２を有し、さらに、正面部１４０が外側部１４２と上面部１４４と内側部１４６とを有するものが存在する。
【０００４】
すなわち、図７に示す紙製容器１０５は、底面部１１０と、側面部１２０、１３０と、フラップ部１２２、１３２と、被挟設部１２４、１３４と、正面部１４０と、背面部１５０と、蓋部１６０と、先端板部１６２とを有し、正面部１４０は、外側部１４２と上面部１４４と内側部１４６とを有し、背面部１５０は、背面板部１５４と背面板部１５６とからなる内側背面部１５２と、外側背面部１５８とを有している。
【０００５】
紙製容器１０５の組立て状態においては、側面部１２０、１３０と正面部１４０と背面部１５０とが底面部１１０に対して立設し、正面部１４０においては、外側部１４２と内側部１４６とが被挟設部１３４を挟んだ状態で立設し、内側部１４６に設けられた突状部１４６ａは底面部１１０と外側部１４２との境界位置に形成された略コ字状の切込み１１０ａにより形成される穴部に係止され、内側部１４６は外側部１４２の内側に立設する。また、背面部１５０においては、背面板部１５４と背面板部１５６は、背面板部１５４の切欠部１５４ａと背面板部１５６の切欠部１５６ａとを互いに係止することにより連結して内側背面部１５２が形成され、外側背面部１５８の内側に立設する。また、蓋部１６０を閉状態にするには、先端板部１６２を正面部１４０の内側に差し込む。
【０００６】
図７に示すＮ式の紙製容器１０５においては、廃棄のために折り畳み状態にするには、予め容器を展開状態として、その後に折り畳む。すなわち、図７の容器を組立て状態から折り畳み状態にする方法を図８に使用して説明すると、まず、図８（ａ）の組立て状態の容器を図８（ｂ）に示すように展開状態として、その後、図８（ｃ）に示すように、底面部１１０の両側から突出した部材（つまり、側面部１２０、１３０、フラップ部１２２、１３２、被挟設部１２４、１３４、背面板部１５４、１５６）を底面部１１０の左右両側の辺部を介して内側に折り返し、その後、底面部１１０の背面側の辺部を介して二つ折りにする。
【０００７】
また、Ｎ式の容器において折り畳みできるものとして、特許文献１に示す組立式紙箱が存在する。これは、左右両側壁に斜状折目を設けることにより全体が扁平に折り畳むことができるものである。
【０００８】
また、出願人は、以下の特許文献２〜３の先行技術文献を知得している。
【先行技術文献】
【特許文献】
【０００９】
【特許文献１】実用新案登録第３１１８７４８号公報
【特許文献２】特開２０００−５３１２０号公報
【特許文献３】特開２００２−２８４１４６号公報
【考案の概要】
【考案が解決しようとする課題】
【００１０】
しかし、図７に示すＮ式の容器においては、廃棄のために折り畳み状態にするには、上記のように予め容器を展開状態として、その後に折り畳む必要があり、折り畳むための操作が面倒であった。また、図８（ｃ）に示すように折り畳んだ紙製容器１０５を底面部１１０の背面側の辺部を介して二つ折りにした場合でもその状態を固定することができず、二つ折りの状態を固定するには、輪ゴム等の固定手段が別途必要になってしまう。
【００１１】
また、特許文献１の組立式紙箱においては、サイドフラップの噛み合わせを解除してから折り畳む必要があり、折り畳むための操作が面倒であり、また、折り畳んで二つ折りにした状態を固定することができない。
【００１２】
そこで、本考案が解決しようとする問題点は、Ｎ式の紙製容器において、組立て状態から容易に折り畳むことができるとともに、折り畳んだ状態を容易に固定することができ、よって、廃棄が容易な紙製容器を提供することである。
【課題を解決するための手段】
【００１３】
本考案は上記問題点を解決するために創作されたものであって、第１には、１枚のシート状のブランクにより形成された紙製容器であって、略方形状の底面部と、底面部の右側面側の辺部から折れ線を介して連設された略方形状の右側面部と、底面部の左側面側の辺部から折れ線を介して連設された略方形状の左側面部と、右側面部の正面側の辺部から折れ線を介して連設され、紙製容器の組立て状態において、正面部の外側部と内側部に挟まれて設けられる右側被挟設部で、底面部の正面右側の角部から右側面部との間の折れ線に対して４５度の角度をなして形成された第１折れ線を有する右側被挟設部と、左側面部の正面側の辺部から折れ線を介して連設され、紙製容器の組立て状態において、正面部の外側部と内側部に挟まれて設けられる左側被挟設部で、底面部の正面左側の角部から左側面部との間の折れ線に対して４５度の角度をなして形成された第２折れ線を有する左側被挟設部と、底面部の正面側の辺部から折れ線を介して連設された正面部で、底面部から折れ線を介して連設された外側部で、底面部の正面右側の角部から底面部との間の折れ線に対して４５度の角度をなして形成された第３折れ線と、底面部の正面左側の角部から底面部との間の折れ線に対して４５度の角度をなして形成された第４折れ線とが設けられた外側部と、外側部の底面部とは反対側の辺部から折れ線を介して連設された帯状の上面部と、上面部の外側部とは反対側の辺部から折れ線を介して連設され紙製容器の組立て状態において外側部の内側に外側部と略平行に設けられる内側部で、内側部の上面部側の端部位置で第３折れ線の上面部側の端部位置と左右方向に同じ位置から内側部の左右方向の外側に向けて内側部の上面部側の辺部に対して４５度の角度をなして形成された第５折れ線と、内側部の上面部側の端部位置で第４折れ線の上面部側の端部位置と左右方向に同じ位置から内側部の左右方向の外側に向けて内側部の上面部側の辺部に対して４５度の角度をなして形成された第６折れ線とを有する内側部と、内側部の上面部とは反対側の辺部から折れ線を介して連設され、紙製容器の組立て状態において底面部の上面に設けられる帯状の水平板部と、を有する正面部と、紙製容器の背面の内側を形成する内側背面部で、右側面部の背面側の辺部から折れ線を介して連設され左側背面板部と係止する右側背面板部で、底面部の背面右側の角部から右側面部との間の折れ線に対して４５度の角度をなして形成された第７折れ線を有する右側背面板部と、左側面部の背面側の辺部から折れ線を介して連設され右側背面板部と係止する左側背面板部で、底面部の背面左側の角部から左側面部との間の折れ線に対して４５度の角度をなして形成された第８折れ線を有する左側背面板部と、を有する内側背面部と、底面部の背面側の辺部から折れ線を介して連設された外側背面部と、外側背面部の底面部とは反対側の辺部から折れ線を介して連設された蓋部と、蓋部の外側背面部とは反対側の辺部から折れ線を介して連設された先端板部で、紙製容器の組立て状態における蓋部を開けた状態で、右側面部と左側面部とを内側に倒して、正面部と内側背面部と右側被挟設部と左側被挟設部とを折り畳んだ状態とした後に、蓋部を外側背面部に対して折り返した際に、水平板部と底面部間に隙間に差し込むための差込み片を有する先端板部と、を有することを特徴とする。
【００１４】
第１の構成において、紙製容器を折り畳む場合には、右側面部と左側面部とを底面部側に倒すことにより、正面部の外側部が第３折れ線と第４折れ線を介して折り返され、内側部が第５折れ線と第６折れ線を介して折り返され、外側部と内側部により挟まれた右側被挟設部が第１折れ線を介して折り返されるとともに、左側被挟設部が第２折れ線を介して折り返されるので、底面部の正面側に立設した部材（外側部と内側部と右側被挟設部と左側被挟設部）の両側が折り返され、また、右側背面板部が第７折れ線を介して折り返され、左側背面板部が第８折れ線を介して折り返されるので、内側背面部の両側が折り返された状態となり、これにより右側面部と左側面部を内側に倒すのにでワンタッチで底面部から立設した部分が折り畳まれる。特に、従来のＮ式の紙製容器のように一旦展開状態にする必要がなく、ワンタッチで折り畳むことができる。また、蓋部を外側背面板部に対して折り返して先端板部の差込み片を水平板部と底面部間の隙間に差し込むことにより、容易に面積を小さく折り畳むことができ、面積を小さく折り畳んだ状態を容易に固定することができる。よって、Ｎ式の紙製容器において、組立て状態から容易に折り畳むことができるとともに、折り畳んだ状態を容易に固定することができ、よって、廃棄が容易な紙製容器を提供することができる。
【００１５】
また、第２には、１枚のシート状のブランクにより形成された紙製容器であって、略方形状の底面部と、底面部の右側面側の辺部から折れ線を介して連設された略方形状の右側面部と、底面部の左側面側の辺部から折れ線を介して連設された略方形状の左側面部と、右側面部の正面側の辺部から折れ線を介して連設され、紙製容器の組立て状態において、正面部の外側部と内側部に挟まれて設けられる右側被挟設部で、底面部の正面右側の角部から右側面部との間の折れ線に対して４５度の角度をなして形成された第１折れ線を有する右側被挟設部と、左側面部の正面側の辺部から折れ線を介して連設され、紙製容器の組立て状態において、正面部の外側部と内側部に挟まれて設けられる左側被挟設部で、底面部の正面左側の角部から左側面部との間の折れ線に対して４５度の角度をなして形成された第２折れ線を有する左側被挟設部と、底面部の正面側の辺部から折れ線を介して連設された正面部で、底面部から折れ線を介して連設された外側部で、底面部の正面右側の角部から底面部との間の折れ線に対して４５度の角度をなして形成された第３折れ線と、底面部の正面左側の角部から底面部との間の折れ線に対して４５度の角度をなして形成された第４折れ線とが設けられた外側部と、外側部の底面部とは反対側の辺部から折れ線を介して連設され紙製容器の組立て状態において外側部の内側に外側部と略平行に設けられる内側部で、内側部の外側部側の端部位置で第３折れ線の外側部側の端部位置と左右方向に同じ位置から内側部の左右方向の外側に向けて内側部の外側部側の辺部に対して４５度の角度をなして形成された第５折れ線と、内側部の外側部側の端部位置で第４折れ線の外側部側の端部位置と左右方向に同じ位置から内側部の左右方向の外側に向けて内側部の外側部側の辺部に対して４５度の角度をなして形成された第６折れ線とを有する内側部と、内側部の外側部とは反対側の辺部から折れ線を介して連設され、紙製容器の組立て状態において底面部の上面に設けられる帯状の水平板部と、を有する正面部と、紙製容器の背面の内側を形成する内側背面部で、右側面部の背面側の辺部から折れ線を介して連設され左側背面板部と係止する右側背面板部で、底面部の背面右側の角部から右側面部との間の折れ線に対して４５度の角度をなして形成された第７折れ線を有する右側背面板部と、左側面部の背面側の辺部から折れ線を介して連設され右側背面板部と係止する左側背面板部で、底面部の背面左側の角部から左側面部との間の折れ線に対して４５度の角度をなして形成された第８折れ線を有する左側背面板部と、を有する内側背面部と、底面部の背面側の辺部から折れ線を介して連設された外側背面部と、外側背面部の底面部とは反対側の辺部から折れ線を介して連設された蓋部と、蓋部の外側背面部とは反対側の辺部から折れ線を介して連設された先端板部で、紙製容器の組立て状態における蓋部を開けた状態で、右側面部と左側面部とを内側に倒して、正面部と内側背面部と右側被挟設部と左側被挟設部とを折り畳んだ状態とした後に、蓋部を外側背面部に対して折り返した際に、水平板部と底面部間に隙間に差し込むための差込み片を有する先端板部と、を有することを特徴とする。
【００１６】
第２の構成において、紙製容器を折り畳む場合には、右側面部と左側面部とを底面部側に倒すことにより、正面部の外側部が第３折れ線と第４折れ線を介して折り返され、内側部が第５折れ線と第６折れ線を介して折り返され、外側部と内側部により挟まれた右側被挟設部が第１折れ線を介して折り返されるとともに、左側被挟設部が第２折れ線を介して折り返されるので、底面部の正面側に立設した部材（外側部と内側部と右側被挟設部と左側被挟設部）の両側が折り返され、また、右側背面板部が第７折れ線を介して折り返され、左側背面板部が第８折れ線を介して折り返されるので、内側背面部の両側が折り返された状態となり、これにより右側面部と左側面部を内側に倒すのにでワンタッチで底面部から立設した部分が折り畳まれる。特に、従来のＮ式の紙製容器のように一旦展開状態にする必要がなく、ワンタッチで折り畳むことができる。また、蓋部を外側背面板部に対して折り返して先端板部の差込み片を水平板部と底面部間の隙間に差し込むことにより、容易に面積を小さく折り畳むことができ、面積を小さく折り畳んだ状態を容易に固定することができる。よって、Ｎ式の紙製容器において、組立て状態から容易に折り畳むことができるとともに、折り畳んだ状態を容易に固定することができ、よって、廃棄が容易な紙製容器を提供することができる。
【００１７】
また、第３には、上記第１又は第２の構成において、水平板部の左右方向の略中央には、先端板部の差込み片を差し込むための切欠部が形成されていることを特徴とする。これにより、差込み片の水平板部と底面部間の隙間への差込みを容易とすることができる。
【００１８】
また、第４には、上記第１から第３までのいずれかの構成において、内側部における紙製容器の組立て状態における左右両側の下方側で第５折れ線と第６折れ線の延長線上には切欠部が形成されていることを特徴とする。よって、内側部を第５折れ線及び第６折れ線を介して折り返す際に、折返しを容易とし、底面部の正面側に立設した部材の両側を折り返して折り畳んだ際に、折り畳み状態をなるべく薄くすることができる。
【００１９】
また、第５には、上記第１から第４までのいずれかの構成において、右側被挟設部における紙製容器の組立て状態における上側で第１折れ線の延長線上には切欠部が形成され、左側被挟設部における紙製容器の組立て状態における上側で第２折れ線の延長線上には切欠部が形成されていることを特徴とする。よって、内側部を第５折れ線及び第６折れ線を介して折り返す際に、折返しを容易とし、底面部の正面側に立設した部材の両側を折り返して折り畳んだ際に、折り畳み状態をなるべく薄くすることができる。
【００２０】
また、第６には、上記第１から第５までのいずれかの構成において、右側面部の底面部とは反対側の辺部から折れ線を介してフラップ部が連設され、左側面部の底面部とは反対側の辺部から折れ線を介してフラップ部が連設されていることを特徴とする。
【００２１】
また、第７には、１枚のシート状のブランクにより形成された紙製容器であって、略方形状の底面部と、底面部の右側面側の辺部から折れ線を介して連設された略方形状の右側面部と、底面部の左側面側の辺部から折れ線を介して連設された略方形状の左側面部と、右側面部の正面側の辺部から折れ線を介して連設され、紙製容器の組立て状態において、正面部の外側部と内側部に挟まれて設けられる右側被挟設部で、底面部の正面右側の角部から右側面部との間の折れ線に対して４５度の角度をなして形成された第１折れ線を有し、紙製容器の組立て状態における上側で第１折れ線の延長線上には切欠部が形成されている右側被挟設部と、左側面部の正面側の辺部から折れ線を介して連設され、紙製容器の組立て状態において、正面部の外側部と内側部に挟まれて設けられる左側被挟設部で、底面部の正面左側の角部から左側面部との間の折れ線に対して４５度の角度をなして形成された第２折れ線を有し、紙製容器の組立て状態における上側で第２折れ線の延長線上には切欠部が形成されている左側被挟設部と、右側面部の底面部とは反対側の辺部から折れ線を介して第１フラップ部と、左側面部の底面部とは反対側の辺部から折れ線を介して第２フラップ部と、底面部の正面側の辺部から折れ線を介して連設された正面部で、底面部から折れ線を介して連設された外側部で、底面部の正面右側の角部から底面部との間の折れ線に対して４５度の角度をなして形成された第３折れ線と、底面部の正面左側の角部から底面部との間の折れ線に対して４５度の角度をなして形成された第４折れ線とが設けられた外側部と、外側部の底面部とは反対側の辺部から折れ線を介して連設された帯状の上面部と、上面部の外側部とは反対側の辺部から折れ線を介して連設され紙製容器の組立て状態において外側部の内側に外側部と略平行に設けられる内側部で、内側部の上面部側の端部位置で第３折れ線の上面部側の端部位置と左右方向に同じ位置から内側部の左右方向の外側に向けて内側部の上面部側の辺部に対して４５度の角度をなして形成された第５折れ線と、内側部の上面部側の端部位置で第４折れ線の上面部側の端部位置と左右方向に同じ位置から内側部の左右方向の外側に向けて内側部の上面部側の辺部に対して４５度の角度をなして形成された第６折れ線とを有し、紙製容器の組立て状態における左右両側の下方側で第５折れ線と第６折れ線の延長線上には切欠部が形成されている内側部と、内側部の上面部とは反対側の辺部から折れ線を介して連設され、紙製容器の組立て状態において底面部の上面に設けられる帯状の水平板部で、左右方向の略中央には、先端板部の差込み片を差し込むための切欠部が形成された水平板部と、を有する正面部と、紙製容器の背面の内側を形成する内側背面部で、右側面部の背面側の辺部から折れ線を介して連設され左側背面板部と係止する右側背面板部で、底面部の背面右側の角部から右側面部との間の折れ線に対して４５度の角度をなして形成された第７折れ線を有する右側背面板部と、左側面部の背面側の辺部から折れ線を介して連設され右側背面板部と係止する左側背面板部で、底面部の背面左側の角部から左側面部との間の折れ線に対して４５度の角度をなして形成された第８折れ線を有する左側背面板部と、を有する内側背面部と、底面部の背面側の辺部から折れ線を介して連設された外側背面部と、外側背面部の底面部とは反対側の辺部から折れ線を介して連設された蓋部と、蓋部の外側背面部とは反対側の辺部から折れ線を介して連設された先端板部で、紙製容器の組立て状態における蓋部を開けた状態で、右側面部と左側面部とを内側に倒して、正面部と内側背面部と右側被挟設部と左側被挟設部とを折り畳んだ状態とした後に、蓋部を外側背面部に対して折り返した際に、水平板部と底面部間に隙間に差し込むための差込み片を有する先端板部と、を有することを特徴とする。
【００２２】
第７の構成において、紙製容器を折り畳む場合には、右側面部と左側面部とを底面部側に倒すことにより、正面部の外側部が第３折れ線と第４折れ線を介して折り返され、内側部が第５折れ線と第６折れ線を介して折り返され、外側部と内側部により挟まれた右側被挟設部が第１折れ線を介して折り返されるとともに、左側被挟設部が第２折れ線を介して折り返されるので、底面部の正面側に立設した部材（外側部と内側部と右側被挟設部と左側被挟設部）の両側が折り返され、また、右側背面板部が第７折れ線を介して折り返され、左側背面板部が第８折れ線を介して折り返されるので、内側背面部の両側が折り返された状態となり、これにより右側面部と左側面部を内側に倒すのにでワンタッチで底面部から立設した部分が折り畳まれる。特に、従来のＮ式の紙製容器のように一旦展開状態にする必要がなく、ワンタッチで折り畳むことができる。また、蓋部を外側背面板部に対して折り返して先端板部の差込み片を水平板部と底面部間の隙間に差し込むことにより、容易に面積を小さく折り畳むことができ、面積を小さく折り畳んだ状態を容易に固定することができる。よって、Ｎ式の紙製容器において、組立て状態から容易に折り畳むことができるとともに、折り畳んだ状態を容易に固定することができ、よって、廃棄が容易な紙製容器を提供することができる。
【００２３】
また、水平板部の左右方向の略中央には、先端板部の差込み片を差し込むための切欠部が形成されているので、差込み片の水平板部と底面部間の隙間への差込みを容易とすることができる。また、内側部における紙製容器の組立て状態における左右両側の下方側で第５折れ線と第６折れ線の延長線上には切欠部が形成されているので、内側部を第５折れ線及び第６折れ線を介して折り返す際に、折返しを容易とし、底面部の正面側に立設した部材の両側を折り返して折り畳んだ際に、折り畳み状態をなるべく薄くすることができる。また、右側被挟設部における紙製容器の組立て状態における上側で第１折れ線の延長線上には切欠部が形成され、左側被挟設部における紙製容器の組立て状態における上側で第２折れ線の延長線上には切欠部が形成されているので、内側部を第５折れ線及び第６折れ線を介して折り返す際に、折返しを容易とし、底面部の正面側に立設した部材の両側を折り返して折り畳んだ際に、折り畳み状態をなるべく薄くすることができる。
【００２４】
また、第８には、上記第１から第７までのいずれかの構成において、内側部と水平板部の境界位置に略コ字状の切込みを形成することにより、内側部の水平板部側に突状部が形成され、底面部と外側部の境界位置に略コ字状の切込みを形成することにより、外側部を底面部に対して立設させた際に、底面部の外側部側の端部に突状部が嵌合するための開口部が形成されることを特徴とする。
【考案の効果】
【００２５】
本考案に基づく紙製容器によれば、Ｎ式の紙製容器において、組立て状態から容易に折り畳むことができるとともに、折り畳んだ状態を容易に固定することができ、よって、廃棄が容易な紙製容器を提供することができる。
【図面の簡単な説明】
【００２６】
【図１】紙製容器の斜視図である。
【図２】蓋部を開けた状態の紙製容器の前方斜視図である。
【図３】蓋部を開けた状態の紙製容器の後方斜視図である。
【図４】紙製容器の展開図である。
【図５】紙製容器を折り畳む途中の状態を示す斜視図である。
【図６】紙製容器を折り畳んだ状態を示す斜視図である。
【図７】従来のＮ式の紙製容器の展開状態を示す斜視図である。
【図８】従来のＮ式の紙製容器を折り畳む工程を示す説明図である。
【考案を実施するための形態】
【００２７】
本考案においては、Ｎ式の紙製容器において、組立て状態から容易に折り畳むことができるとともに、折り畳んだ状態を容易に固定することができ、よって、廃棄が容易な紙製容器を提供するという目的を以下のようにして実現した。
【００２８】
本考案に基づく紙製容器５は、図１〜図４に示すように構成され、Ｎ式容器であり、１枚のシート状のブランク（シート状部材（具体的には、シート状の紙材）により形成されたブランク）（図４参照）の要所を折り曲げ、組み立てることにより形成されるものであり、底面部１０と、側面部２０、３０と、フラップ部２２、３２と、被挟設部２４、３４と、正面部４０と、背面部５０と、蓋部６０と、先端板部６２とを有している。
【００２９】
ここで、底面部１０は、方形状（具体的には、長方形状）の板状を呈し、厳密には、方形状に一対の略コ字状の切込み１０ａによる切欠部を形成した略方形状を呈している。
【００３０】
また、側面部（右側面部）２０は、底面部１０の右側面側の辺部から折れ線を介して連設され、方形状（具体的には、長方形状）の板状を呈し、その前後方向の長さは底面部１０の前後方向の長さと略同一となっている。また、側面部（左側面部）３０は、底面部１０の左側面側の辺部から折れ線を介して連設され、方形状（具体的には、長方形状）の板状を呈し、その前後方向の長さは底面部１０の前後方向の長さと略同一となっている。また、フラップ部２２は、側面部２０の底面部１０側とは反対側の辺部から折れ線を介して連設され、細長長方形状の角部にアールを形成した形状を呈し、その前後方向の長さは側面部２０の前後方向の長さと略同一となっている。また、フラップ部３２は、側面部３０の底面部１０側とは反対側の辺部から折れ線を介して連設され、細長長方形状の角部にアールを形成した形状を呈し、その前後方向の長さは側面部３０の前後方向の長さと略同一となっている。側面部２０、３０は、略方形状としてもよい。
【００３１】
また、被挟設部（右側被挟設部）２４は、側面部２０の正面側の辺部から折れ線を介して連設され、略長方形状を呈し、具体的には、長方形状の長辺の一方の辺部側に略円弧状の切欠部２４ｂが形成されるとともに、他方の辺部側の側面部２０と反対側を斜めに欠切することによる切欠部２４ｃが形成されている。この切欠部２４ｂは、紙製容器５の組立て状態において、斜めに形成された折れ線（折れ線４２ａ１、４２ｂ１、４６ａ１）が集まる領域Ｒ１（円形で囲まれた領域）に対応する位置に形成されたものであり、領域Ｒ１における複数のシート状部材分の厚みを小さくすることにより斜めに形成された折れ線を介して折り畳んだ際に、折畳みを容易とし折り畳み状態をなるべく薄くすることができる。つまり、切欠部２４ｂは、被挟設部２４における紙製容器５の組立て状態における上側で折れ線２４ａの延長線上に形成されている。また、切欠部２４ｃは、被挟設部２４を外側部４２と内側部４６とで挟設する際に、被挟設部２４を配置しやすくするためである。
【００３２】
また、被挟設部２４には、底面部１０の角部から被挟設部２４と側面部２０間の折れ線に対して４５度（約４５度としてもよい）をなす直線状の折れ線（第１折れ線）２４ａが形成されている。
【００３３】
また、被挟設部（左側被挟設部）３４は、側面部３０の正面側の辺部から折れ線を介して連設され、紙製容器５の展開状態において被挟設部２４と線対称の形状となっている。すなわち、被挟設部３４は、略長方形状を呈し、具体的には、長方形状の長辺の一方の辺部側に略円弧状の切欠部３４ｂが形成されるとともに、他方の辺部側の側面部３０と反対側を斜めに欠切することによる切欠部３４ｃが形成されている。この切欠部３４ｂは、紙製容器５の組立て状態において、斜めに形成された折れ線（折れ線４２ａ２、４２ｂ２、４６ａ２）が集まる領域Ｒ２（円形で囲まれた領域）に対応する位置に形成されたものであり、領域Ｒ２における複数のシート状部材分の厚みを小さくすることにより斜めに形成された折れ線を介して折り畳んだ際に折り畳み状態をなるべく薄くすることができる。つまり、切欠部３４ｂは、被挟設部３４における紙製容器５の組立て状態における上側で折れ線３４ａの延長線上に形成されている。また、切欠部３４ｃは、被挟設部３４を外側部４２と内側部４６とで挟設する際に、被挟設部３４を配置しやすくするためである。
【００３４】
また、被挟設部３４には、底面部１０の角部から被挟設部３４と側面部３０間の折れ線に対して４５度（約４５度としてもよい）をなす直線状の折れ線（第２折れ線）３４ａが形成されている。
【００３５】
なお、被挟設部２４、３４の幅（紙製容器５の組立て状態における上下方向の幅（最大幅））は、内側部４６の幅（上面部４４側の辺部と水平板部４８側の辺部間の幅）や外側部４２の幅（上面部４４側の辺部と底面部１０側の辺部間の幅）以下の長さに形成されている。外側部４２と被挟設部２４間は切込みにより区画され、外側部４２と被挟設部３４間は切込みにより区画されている。
【００３６】
また、正面部４０は、底面部１０の正面側の辺部から折れ線を介して連設され、外側部４２と上面部４４と内側部４６とを有している。
【００３７】
外側部４２は、底面部１０の正面側の辺部から折れ線を介して連設され、方形状（具体的には、長方形状）を呈している。この外側部４２には、底面部１０の正面側の２つの角部から底面部１０と外側部４２間の境界をなす折れ線１１ａに対して４５度（略４５度としてもよい）の角度をなして外側部４２の内側に向けて形成され、外側部４２の上面部４４側の端部（すなわち、外側部４２と上面部４４間の折れ線４３）まで伸びた折れ線（直線状の折れ線）４２ａ１、４２ａ２が左右両側に形成されている。つまり、底面部１０の正面右側の角部からは折れ線（第３折れ線）４２ａ１が形成され、底面部１０の正面左側の角部からは折れ線（第４折れ線）４２ａ２が形成されている。
【００３８】
また、該折れ線４２ａ１、４２ａ２の上面部４４側の端部から伸びた折れ線（直線状の折れ線）４２ｂ１、４２ｂ２が左右両側に形成されている。つまり、正面視右側には、折れ線４２ｂ１が形成され、正面視左側には、折れ線４２ｂ２が形成されている。この折れ線４２ｂ１は、折れ線４２ａ１よりも上面部４４側に形成され、折れ線４２ａ１に対して鋭角の角度をなし折れ線４２ａ１と略平行となっている。同様に、折れ線４２ｂ２は、折れ線４２ａ２よりも上面部４４側に形成され、折れ線４２ａ２に対して鋭角の角度をなし折れ線４２ａ２と略平行となっている。
【００３９】
なお、外側部４２と底面部１０の境界位置には、一対の略コ字状の切込み１０ａが形成され、紙製容器５の組立て状態において、内側部４６の突状部４６ｃが切込み１０ａにより形成される穴部に嵌合する。
【００４０】
また、上面部４４は、外側部４２の底面部１０側とは反対側の辺部から折れ線を介して連設され、帯状を呈している。
【００４１】
また、内側部４６は、上面部４４の外側部４２側とは反対側の辺部から折れ線を介して連設され、長方形状の両側に切欠部４６ｃを形成した形状を呈している。つまり、内側部４６は、長方形状の左右両側の上面部４４とは反対側に切欠部４６ｃが形成された形状を呈し、該切欠部４６ｃは、上面部４４側の略台形形状と該略台形形状の上面部４４とは反対側に連設された略四角形状とから構成され、該切欠部４６ｃは内側部４６に対して鋭角に食い込んだ形状をなしている。つまり、この切欠部４６ｃは、内側部４６における紙製容器５の組立て状態における左右両側の下方側で折れ線４６ａ１、４６ａ２の延長線上に形成されている。この内側部４６は、紙製容器５の組立て状態では、外側部４２と略平行となっている。この切欠部４６ｃが設けられていることにより、内側部４６を折れ線４６ａ１、４６ａ２を介して折り返す際に、折返しを容易とし、底面部１０の正面側に立設した部材（外側部４２と内側部４６と右側被挟設部２４と左側被挟設部３４）の両側を折り返して折り畳んだ際に、折り畳み状態をなるべく薄くすることができる。
【００４２】
また、内側部４６には、折れ線（直線状の折れ線）４６ａ１、４６ａ２が左右両側に形成されていて、折れ線（第５折れ線）４６ａ１は正面視右側に形成され、折れ線（第６折れ線）４６ａ２は正面視左側に形成されている。この折れ線４６ａ１は、上面部４４側の端部位置（内側部４６の上面部４４との間の折れ線４５の位置）で折れ線（第３折れ線）４２ａ１の上面部４４側の端部（折れ線４２ａ１が上面部４４の辺部（つまり、外側部４２と上面部４４間の折れ線４３）と接する位置）と左右方向において同じ位置から内側部４６の上面部４４との間の折れ線４５に対して４５度（略４５度としてもよい）の角度をなして内側部４６の左右方向の外側に向けて形成されている。同様に、折れ線４６ａ２は、上面部４４側の端部位置（内側部４６の上面部４４との間の折れ線４５の位置）で折れ線（第４折れ線）４２ａ２の上面部４４側の端部（折れ線４２ａ２が上面部４４の辺部（つまり、折れ線４３）と接する位置）と左右方向において同じ位置から内側部４６の上面部４４との間の折れ線４５に対して４５度（略４５度としてもよい）の角度をなして内側部４６の左右方向の外側に向けて形成されている。
【００４３】
また、折れ線４６ａ１、４６ａ２の上面部４４側の端部の位置からは、折れ線４５に近い側に折れ線（直線状の折れ線）４６ｂ１、４６ｂ２が左右両側に形成されている。つまり、折れ線４６ａ１と折れ線４５の間に折れ線４６ｂ１が形成され、折れ線４６ａ２と折れ線４５の間に折れ線４６ｂ２が形成されている。
【００４４】
なお、内側部４６の形状は、上面部４４の辺部から連設された台形形状の領域と、該台形形状の領域の両側から折れ線４６ａ１、４６ａ２を介して形成された略台形形状の領域とから構成されるとしてもよい。
【００４５】
また、内側部４６の幅（上面部４４側の辺部と水平板部４８側の辺部間の幅）は、外側部４２の幅（上面部４４側の辺部と底面部１０側の辺部間の幅）と略同一に形成されている。
【００４６】
また、水平板部４８は、内側部４６の上面部４４側とは反対側の辺部から折れ線を介して連設され、略帯状（略細長長方形状としてもよい）を呈している。この水平板部４８の内側部４６と反対側の辺部の略中央位置には、先端板部６２の差込み片６２ａを差し込むための切欠部４８ａが形成されている。また、水平板部４８と内側部４６の境界位置には、一対の略コ字状の切込みが形成されていて、この切込みにより形成される突状部４６ｄが切込み１０ａにより形成される開口部に嵌合するようになっている。
【００４７】
なお、正面部１０において、外側部４２及び上面部４４の左右方向の長さと内側部４６の左右方向の最大長さは、底面部１０の左右方向の長さと略同一であり、水平板部４８の左右方向の長さは、内側部４６の上面部４４とは反対側の端部の左右方向の長さと略同一の長さとなっている。
【００４８】
また、背面部５０は、背面板部（右側背面板部）５４と背面板部（左側背面板部）５６により構成される内側背面部５２と、底面部１０の背面側の辺部から折れ線を介して連設された外側背面部５８とを有している。
【００４９】
ここで、内側背面部５２を構成する背面板部５４は、側面部２０の背面側の辺部から折れ線を介して連設され、略長方形状（具体的には、略細長長方形状）を呈し、先端側の上側（組立て状態における上側）には背面板部５６と係止するための切欠部５４ａが形成されている。なお、背面板部５４には、底面部１０の背面右側面側の角部からは、側面部２０の背面側の辺部と４５度（略４５度としてもよい）の角度をなす折れ線（直線状の折れ線）（第７折れ線）５４ｂが形成されている。この折れ線５４ｂは、組立て状態における背面板部５４の下辺（展開状態では、外側背面部５８側の辺部）に対して４５度（略４５度としてもよい）をなすともいえる。なお、背面板部５４の長手方向の長さは、背面板部５６と係止するように、底面部１０の左右方向の長さの半分よりも長く形成されている。
【００５０】
また、背面板部５６は、側面部３０の背面側の辺部から折れ線を介して連設され、略長方形状（具体的には、略細長長方形状）を呈し、先端側の下側（組立て状態における下側）には背面板部５４と係止するための切欠部５６ａが形成されている。なお、背面板部５６には、底面部１０の背面左側面側の角部からは、側面部３０の背面側の辺部と４５度（略４５度としてもよい）の角度をなす折れ線（直線状の折れ線）（第８折れ線）５６ｂが形成されている。この折れ線５６ｂは、組立て状態における背面板部５６の下辺（展開状態では、外側背面部５８側の辺部）に対して４５度（略４５度としてもよい）をなすともいえる。なお、背面板部５６の長手方向の長さは、背面板部５４と係止するように、底面部１０の左右方向の長さの半分よりも長く形成されている。
【００５１】
背面板部５４と背面板部５６を切欠部５４ａ、５６ａを介して互いに係止することにより、内側背面部５２が形成される。なお、切欠部５４ａ、５６ａの代わりに、切込みとしてもよい。
【００５２】
また、外側背面部５８は、長方形状（略長方形状としてもよい）を呈し、その底面部１０側の辺部と蓋部６０側の辺部間の幅は、内側部４６の幅（上面部４４側の辺部と水平板部４８側の辺部間の幅）や、外側部４２の幅（上面部４４側の辺部と底面部１０側の辺部間の幅）と略同一に形成されている。また、外側背面部５８の左右方向の長さは、底面部１０の左右方向の長さと略同一となっている。外側背面部５８と背面板部５４間は切込みにより区画され、外側背面部５８と背面体部５６間は切込みにより区画されている。
【００５３】
また、蓋部６０は、外側背面部５８の底面部１０側とは反対側の辺部から折れ線を介して連設され、長方形状（略長方形状としてもよい）を呈し、その大きさは、底面部１０と略同一となっている。つまり、蓋部６０の左右方向の長さ及び前後方向の長さは、底面部１０の左右方向の長さ及び前後方向の長さと略同一となっている。これにより、蓋部６０における外側背面部５８側の辺部と先端板部６２側の辺部間の長さｈｃは、底面部１０の前後方向の長さ（最大長さ）ｈａと略同一となっている。
【００５４】
また、先端板部６２は、蓋部６０の外側背面部５８側とは反対側の辺部から折れ線を介して連設され、略長方形状を呈している。すなわち、先端板部６２は、長方形状の先端側の両側の角部にアールが形成され、先端側の辺部（すなわち、蓋部６０側とは反対側の辺部）には、一対の切欠部が形成されて、該一対の切欠部間には突状の差込み片６２ａが形成されている。この先端板部６２の蓋部６０側の辺部と該辺部と反対側の辺部間の長さｈｄは、外側背面部５８の底面部１０側の辺部と蓋部６０側の辺部間の長さｈｂと略同一に形成され、これにより、長さｈａ＋長さｈｂは、長さｈｃ＋長さｈｄと略同一となっていて、底面部１０と外側背面部５８と蓋部６０と先端板部６２とを１枚の板状に展開した場合に、蓋部６０の外側背面部５８側の辺部と先端板部６２の蓋部６０とは反対側の辺部間の長さｈ１は、底面部１０の正面側の辺部と外側背面部５８の蓋部６０側の辺部間の長さｈ２と略同一となっている。よって、紙製容器５を組立て状態から折り畳んだ場合に、先端板部６２の差込み片６２ａを水平板部４８に係止させることができる。なお、差込み片６２ａが水平板部４８の切欠部４８ａに差し込むことができるように、差込み片６２ａの先端の左右方向の幅は、水平板部４８の切欠部４８ａの左右方向の幅よりも小さく形成され、また、図５のように側面部２０、３０を内側に倒して折り畳んだ際のフラップ部２２、３２が邪魔にならないように、側面部２０、３０を内側に倒して折り畳んだ際のフラップ部２２とフラップ部３２間の長さｈ３よりも小さく形成されている。
【００５５】
なお、側面部２０と側面部３０と内側部４２と外側部４６と外側背面部５８の短手辺の幅、すなわち、紙製容器５の組立て状態における高さ方向の長さは、略同一に形成されている。
【００５６】
また、折れ線２４ａ、３４ａ、内側部４６と水平板部４８間の折れ線、折れ線５４ｂ、５６ｂには、折れ線を介して折曲げを容易とするために、所定の間隔ごとに切込みが形成されている。
【００５７】
なお、上記構成の紙製容器５を構成するブランクは紙材であり、具体的には、両面段ボール材により構成されている。つまり、紙製容器５は、１枚の両面段ボール材（シート状部材）により形成されたブランク（図４参照）の要所を折り曲げ、組み立てることにより形成されるものである。特に、折り畳みを容易とし、折り畳んだ状態をなるべく薄くするための薄型の両面段ボール材を用いるのが好ましい。例えば、中芯の段の高さが約０．５ｍｍ（０．４８〜０．５２ｍｍ）で、３０ｃｍ当たりの段数が約１７７段（１７４〜１８０段）の両面段ボールを用いるのが好ましい。
【００５８】
また、紙製容器５において、各折れ線には予め罫線を形成しておくことが好ましい。つまり、折れ線に沿って罫線を形成しておくことにより、折曲げを容易とすることができる。
【００５９】
次に、紙製容器５の使用状態について説明する。展開状態の紙製容器５を箱状に組み立てるには、側面部２０、３０を底面部１０に対して折り曲げて立設させ、被挟設部２４、３４を側面部２０、３０に対して内側に折り曲げる。その後、外側部４２を底面部１０に対して折り曲げて立設させ、上面部４４を外側部４２に対して折り曲げ、さらに、内側部４６を上面部４４に対して折り曲げて外側部４２と内側部４６により被挟設部２４、３４を挟んで挟設した状態とする。その後、水平板部４８を内側部４６に対して略直角に折り曲げて、底面部１０の上面と略平行に接するようにする。なお、突状部４６ｃは、外側部４２を底面部１０に対して折り曲げた際に切込み１０ａにより形成される開口部に嵌合させることにより、正面部４０の立設状態を固定させる。
【００６０】
また、背面板部５４と背面板部５６を切欠部５４ａと切欠部５６ａを互いに係止することにより連結して内側背面部５２を形成し、外側背面部５８を底面部１０に対して折り曲げて立設させる。
【００６１】
その後、フラップ部２２、３２を側面部２０、３０に対して折り曲げるとともに、蓋部６０を外側背面部５８に対して折り曲げ、さらに、先端板部６２を正面部４０の内側部４６の内側に接するように差し込むことにより紙製容器５を組み立てる。
【００６２】
この紙製容器５を蓋部６０を閉状態にして組み立てた状態では、側面部２０、３０、外側部４２、外側背面部５８は、底面部１０に対して略直角に立設した状態となり、内側部４６、被挟設部２４、３４、背面板部５４、５６、先端板部６２は、底面部１０に対して略直角となる。また、フラップ部２２、３２、蓋部６０は、底面部１０に対して略平行となる。なお、紙製容器５の組立て状態とは、図１のように蓋部６０を閉じた状態のみならず、図２、図３のように蓋部６０を開けた状態も含むものとし、図２、図３に示すように、底面部１０の周囲の部材が立設した状態であればよい。
【００６３】
紙製容器５を容器として使用する場合には、蓋部６０を開けた状態で、内部に被収納物を入れて、先端板部６２を正面部４０の内側部４６の内側に接するように差し込むことにより蓋部６０を閉めて使用する。
【００６４】
次に、紙製容器５を廃棄する際には、以下のようにして紙製容器５を折り畳む。すなわち、蓋部６０を開けて底面部１０と外側背面部５８と蓋部６０と先端板部６２とが１枚の板状に展開した状態で、側面部２０及び側面部３０を底面部１０に対して内側に倒して折り曲げる。
【００６５】
すると、外側部４２が折れ線４２ａ１、４２ａ２を介して折り曲げられ、折れ線４２ａ１、４２ａ２よりも外側の領域（折れ線４２ａ１（折れ線４２ａ２）と折れ線４２ｂ１（折れ線４２ｂ２）間の領域４２−２及び折れ線４２ｂ１、４２ｂ２よりも外側の領域４２−３）が折れ線４２ａ１、４２ａ２よりも内側の領域４２−１に対して折り返された状態となる。なお、外側部４２は、主として折れ線４２ａ１、４２ａ２を介して折り曲げられるが、折れ線４２ｂ１、４２ｂ２も折曲げに際して補助的に機能する。つまり、被挟設部２４、３４が外側部４２と内側部４６に挟まれた状態として厚くなっているが、この折れ線４２ｂ１、４２ｂ２が設けられていることにより、容易に外側部４２が折り曲げられる。
【００６６】
同様に、内側部４６が折れ線４６ａ１、４６ａ２を介して折り曲げられ、折れ線４６ａ１、４６ａ２よりも外側の領域（折れ線４６ａ１（折れ線４６ａ２）と折れ線４６ｂ１（折れ線４６ｂ２）間の領域４６−２及び折れ線４６ｂ１、４６ｂ２よりも外側の領域４６−３）が折れ線４６ａ１、４６ａ２よりも内側の領域４６−１に対して折り返された状態となる。なお、内側部４６は、主として折れ線４６ａ１、４６ａ２を介して折り曲げられるが、折れ線４６ｂ１、４６ｂ２も折曲げに際して補助的に機能する。つまり、被挟設部２４、３４が外側部４２と内側部４６に挟まれた状態として厚くなっているが、この折れ線４６ｂ１、４６ｂ２が設けられていることにより、容易に内側部４６が折り曲げられる。
【００６７】
また、被挟設部２４は折れ線２４ａを介して折り返され、被挟設部３４は折れ線３４ａを介して折り返される。
【００６８】
また、内側背面部５２についても、背面板部５４が折れ線５４ｂを介して折り返され、背面板部５６が折れ線５６ｂを介して折り返される。
【００６９】
以上のようにして、底面部の正面側に立設した部材（外側部と内側部と右側被挟設部と左側被挟設部）と内側背面部５２において、斜めに形成された折れ線を介して両側の部分が折り返されるので、図５に示すように、底面部１０から立設した部分（外側背面部５８、蓋部６０、先端板部６２以外の部分）を扁平に折り畳むことができる。
【００７０】
次に、蓋部６０を外側背面部５８に対して折り返し、先端板部６２の差込み片６２ａを水平板部４８と底面部１０の間の隙間に差し込むことにより、図６の状態となり、折り畳んだ状態が固定される。紙製容器５を廃棄する場合には、図６の状態で廃棄する。
【００７１】
以上のように、本実施例の紙製容器５によれば、側面部２０、３０を内側に倒すのみでワンタッチで底面部１０から立設した部分を扁平に折り畳むことができるので、紙製容器５を容易に折り畳んだ状態とすることができる。特に、従来のＮ式の紙製容器のように一旦展開状態にする必要がなく、ワンタッチで折り畳むことができる。さらには、先端板部６２の差込み片６２ａを水平板部４８と底面部１０の間の隙間に差し込むという容易な操作により、面積を小さく折り畳むことができ、面積を小さく折り畳んだ状態を容易に固定することができる。以上のようにして、Ｎ式の紙製容器において、組立て状態から容易に折り畳むことができるとともに、折り畳んだ状態を容易に固定することができ、よって、廃棄が容易な紙製容器を提供することができる。
【００７２】
なお、上記のように紙製容器５を折り畳む機会としては、廃棄の際のみならず、紙製容器５を保管・運搬する際にも行ってもよい。
【００７３】
なお、上記の構成において、正面部４０において、上面部４４の構成を省略して、外側部４２の底面部１０とは反対側の辺部から内側部４６が連設された構成としてもよい。
【符号の説明】
【００７４】
５  紙製容器
１０  底面部
２０、３０  側面部
２２、３２  フラップ部
２４、３４  被挟設部
４０  正面部
４２  外側部
４４  上面部
４６  内側部
４８  水平板部
５０  背面部
５２  内側背面部
５４、５６  背面板部
５８  外側背面部
６０  蓋部
６２  先端板部
６２ａ  差込み片
２４ａ、３４ａ、４２ａ１、４２ａ２、４２ｂ１、４２ｂ２、４６ａ１、４６ａ２、４６ｂ１、４６ｂ２、５４ｂ、５６ｂ  折れ線
【図１】
0003164779.tif 000003
【図２】
0003164779.tif 000004
【図３】
0003164779.tif 000005
【図４】
0003164779.tif 000006
【図５】
0003164779.tif 000007
【図６】
0003164779.tif 000008
【図７】
0003164779.tif 000009
【図８】
0003164779.tif 000010